(57)【特許請求の範囲】
【請求項１】
３極式配電機器を３本の母線バーに接続するための分岐バーセットであって、
３極式配電機器の左右の外側極を３極式配電機器から遠い側の母線バー及び３極式配電機器に近い側の母線バーに接続する２本の外側極用分岐バーと、３極式配電機器の中央極を中央の母線バーに接続する中央極用分岐バーとからなり、
何れか一方の外側極用分岐バーと中央極用分岐バーは、母線接続部が、母線バーに対して垂直に引いた共通の第１の仮想線上に位置する形状としたことを特徴とする３極式配電機器の分岐バーセット。
【請求項２】
他方の外側極用分岐バーは、母線接続部が、３極式配電機器の中央極を挟んで第１の仮想線と対称位置に引かれた第２の仮想線上に位置する形状としたことを特徴とする請求項１記載の３極式配電機器の分岐バーセット。
【請求項３】
双方の外側極用分岐バーは、３極式配電機器の端子取付部が、第１の仮想線及び第２の仮想線の外側寄りに配置されたものであることを特徴とする請求項２記載の３極式配電機器の分岐バーセット。
【発明の詳細な説明】
【技術分野】
【０００１】
本発明は、ブレーカ等の３極式配電機器を、母線バーに接続するために用いられる３極式配電機器の分岐バーセットに関するものである。
【背景技術】
【０００２】
ブレーカを分岐バーを介して母線バーに接続する分電盤においては、ブレーカの電源側の端子間距離に合わせた間隔で母線バーに接続孔が形成されており、これらの接続孔に分岐バーの先端の母線接続部をねじ止めし、分岐バーの基端の端子取付部をブレーカの端子にねじ止めしている。
このため特許文献１に示されるように、接続されるブレーカは端子間距離が接続孔のピッチに等しい１種類のみであるのが一般的である。従ってブレーカの横幅も、標準サイズと呼ばれる一定幅であるのが普通である。
【０００３】
しかし接続先の負荷の用途によってブレーカの定格電流が大きく変わるような場合には、横幅の異なる３極式ブレーカを同一の母線バーに接続させることが望まれる。ブレーカの横幅が異なると端子間距離も異なるため、同一の母線バーに接続できない。そこで特許文献２には、母線バー上を移動可能な分岐バー接続部材を設け、端子間距離が標準とは異なる３極式ブレーカであっても分岐バーを介して母線バーに接続できるようにした技術が開示されている。
【０００４】
しかしこのような分岐バー接続部材を用いた場合には、分電盤の部品点数が増加するうえ、分岐バー接続部材を母線バーにねじ止めしなければならないためにねじの締め付け工数が増えてしまい、分電盤の製造作業性が低下するという問題があった。
【先行技術文献】
【特許文献】
【０００５】
【特許文献１】実開平６−８８１２０号公報
【特許文献２】実開平６−８０３０７号公報
【発明の概要】
【発明が解決しようとする課題】
【０００６】
従って本発明の目的は上記した従来の問題点を解決し、部品点数を増加させることなく、端子間距離の異なる３極式ブレーカを同一の母線バーに接続することができる３極式ブレーカの分岐バーセットを提供することである。
【課題を解決するための手段】
【０００７】
上記の課題を解決するためになされた本発明は、３極式配電機器を３本の母線バーに接続するための分岐バーセットであって、３極式配電機器の左右の外側極を３極式配電機器から遠い側の母線バー及び３極式配電機器に近い側の母線バーに接続する２本の外側極用分岐バーと、３極式配電機器の中央極を中央の母線バーに接続する中央極用分岐バーとからなり、何れか一方の外側極用分岐バーと中央極用分岐バーは、母線接続部が、母線バーに対して垂直に引いた共通の第１の仮想線上に位置する形状としたことを特徴とするものである。
【０００８】
請求項２の発明は請求項１の発明において、他方の外側極用分岐バーは、母線接続部が、３極式配電機器の中央極を挟んで第１の仮想線と対称位置に引かれた第２の仮想線上に位置する形状としたことを特徴とする。また請求項３の発明は請求項２の発明において、双方の外側極用分岐バーは、３極式配電機器の端子取付部が、第１の仮想線及び第２の仮想線の外側寄りに配置されたものであることを特徴とする。
【発明の効果】
【０００９】
本発明の分岐バーセットを用いれば、端子間距離がピッチＰよりも小さい小型の３極式配電機器を、標準型の配電機器の端子間距離に合せたピッチＰで接続孔が形成された３本の母線バーに接続することができ、小型の３極式配電機器を標準型の配電機器とを同一の母線バーに接続することが可能となる。しかも部品点数を増加させる必要がない。
【００１０】
請求項２の発明によれば、小型の３極式配電機器を対向させて母線バーに接続する場合にも、共通の分岐バーを使用することができる。請求項３の発明によれば、分岐バー相互間の絶縁距離を十分に確保することができる。
【図面の簡単な説明】
【００１１】
【図１】第１の実施形態の分岐バーセットを示す説明図である。
【図２】分岐バーセットの使用状態を示す正面図である。
【図３】分岐バーセットの使用状態を示す斜視図である。
【図４】要部の拡大正面図である。
【図５】母線バーの左側に小型３極式ブレーカ、右側に標準３極式ブレーカを配置した場合の断面図である。
【図６】母線バーの左側に小型３極式ブレーカ、右側に小型２極式ブレーカを配置した場合の断面図である。
【図７】本発明の第２の実施形態を示す正面図である。
【図８】本発明の第２の実施形態を示す斜視図である。
【図９】本発明の第２の実施形態を示す断面図である。
【図１０】本発明の第３の実施形態を示す正面図である。
【図１１】第２の実施形態の分岐バーセットを示す説明図である。
【図１２】第３の実施形態の分岐バーセットを示す説明図である。
【発明を実施するための形態】
【００１２】
以下に本発明の好ましい実施形態を示す。
図１に示すように、本発明の分岐バーセットは３本の分岐バーから成る。左右に示されるのが２本の外側極用分岐バー１０、１２であり、中央に示されるのが中央極用分岐バー１１である。これらの外側極用分岐バー１０、１２及び中央極用分岐バー１１は、配電機器である３極式ブレーカの各極の電源側端子と分電盤の３本の母線バーとを接続するために用いられるものである。これらの分岐バーの形状は分電盤への取付態様に応じて決定されるものであるから、まず分電盤について説明する。
【００１３】
図２と図３は本発明の分岐バーセットを用いた分電盤の説明図である。これらの図において、１は３本の母線バーであり、この実施形態では図４に示すように、Ｒ、Ｓ、Ｔの３極が三角形状に配置されている。Ｒ極とＴ極は下段に配置され、Ｓ極は上段に配置されている。各母線バー１には標準型のブレーカの端子間距離に合せたピッチＰで接続孔２が形成されている。これらの接続孔２はめねじが切られたねじ孔とし、各分岐バーをねじ固定できるようにしてある。
【００１４】
母線バー１の両側に配電機器が接続されている。この実施形態では配電機器は何れもブレーカであるが、開閉器や端子台であってもよい。３は標準２極式ブレーカ、４は標準３極式ブレーカである。これらは何れも標準サイズであって、端子間距離が母線バー１の接続孔２のピッチＰに等しくなっている。５は小型２極式ブレーカであり、その筐体の横幅は標準２極式ブレーカ３の半分であり、母線バー１の同一仮想直線上に接続される。
【００１５】
図４に示すように、小型３極式ブレーカ６は外側極７、中央極８、外側極９の３つの端子を持ち、各端子を３本の母線バー１（Ｒ、Ｓ、Ｔ）に、本発明の分岐バーセットを構成する外側極用分岐バー１０、１２及び中央極用分岐バー１１によって接続されている。
【００１６】
先ず、小型３極式ブレーカ６の一方の外側極７は、一方の外側極用分岐バー１０によって小型３極式ブレーカ６から最も遠い母線バー１（Ｔ）に接続される。その先端の母線接続部を１３とする。また小型３極式ブレーカ６の他方の外側極９は、他方の外側極用分岐バー１２によって、小型３極式ブレーカ６から最も近い母線バー１（Ｒ）に接続される。その先端の母線接続部を１４とする。図４に示すように、母線接続部１３から母線バー１に対して垂直に延びる直線を第１の仮想線１５とし、母線接続部１４から母線バー１に対して垂直に延びる直線を第２の仮想線１６とする。これらの仮想線１５、１６の間に、小型３極式ブレーカ６の中央極８を位置させ、中央極８を前記したいずれかの仮想線上に形成された中央の母線バー１（Ｓ）に設けた母線接続部１７に中央極用分岐バー１１によって接続してある。なお、中央極８から第１の仮想線１５までの距離と、中央極８から第２の仮想線１６までの距離は等しく、第２の仮想線１６は、３極式ブレーカ６の中央極８を挟んで第１の仮想線１５と対称位置にあることで、小型３極式ブレーカ６を対向させて母線バー１に接続する場合にも、共通の分岐バーセットを使用することができる。
【００１７】
本発明では、何れか一方の外側極用分岐バー１０、１２と中央極用分岐バー１１は、その先端の母線接続部が母線バー１に対して垂直に引いた共通の第１の仮想線上１５に位置する。この実施形態では図４に示すように、一方の外側極用分岐バー１０と中央極用分岐バー１１とは、その先端の母線接続部１３と母線接続部１７とが、共通の第１の仮想線１５上に位置する形状となっている。このため図１に示したように、中央極用分岐バー１１は途中で幅方向に屈曲され、その基部の端子接続部２０と先端の母線接続部１７とがＰ／２の距離分ずれた位置にある。
【００１８】
また図１に示したように、一方の外側極用分岐バー１０もその基部の端子接続部１９と先端の母線接続部１３とが僅かにずれた位置にあり、他方の一方の外側極用分岐バー１２もその基部の端子接続部２１と先端の母線接続部１４とが僅かにずれた位置にある。これらの外側極用分岐バー１０の母線接続部１３と、外側極用分岐バー１２の母線接続部１４とは、ともに内側（中央極８側）にずらせてある。
【００１９】
前記したように、一方の外側極用分岐バー１０の先端の母線接続部１３は第１の仮想線１５上に位置するのであるから、その基部の端子接続部１９は、この第１の仮想線１５よりもやや外側に位置することとなる。同様に、他方の外側極用分岐バー１１の基部の端子接続部２１も、第２の仮想線１６よりもやや外側に位置することとなる。このような構造とすることにより、分岐バー相互間の絶縁距離を十分に確保することができる。
【００２０】
当然のことながら、中央極用分岐バー１１は、第１の仮想線１５と第２の仮想線１６との間に配置される。
【００２１】
図３、図５に示すように、本実施形態では、小型３極式ブレーカ６の端子は、外側極７、外側極９は下段に設け、中央極８は上段に設けてある。このように各極の端子と対応する母線バー１の高さを近付けることによって、外側極用分岐バー１０、１２と中央極用分岐バー１１を短く形成することができる。また隣接する端子間に段差を設けることにより、小型であっても相互間の絶縁距離を十分に確保することができる。図５に示すように、上段の中央極用分岐バー１１は略平坦であるが、下段の外側極用分岐バー１０、１２は途中から下方に屈曲した形状となっている。なお図６は、母線バー１の左側に小型３極式ブレーカ６、右側に小型２極式ブレーカ５を配置した場合の断面図である。
【００２２】
本発明の分岐バーセットを用いれば、中央極用分岐バー１１を仮想線１５上で母線バー１（Ｓ）に接続するので、中央極用分岐バー１１は外側極用分岐バー１２の母線接続部１４に螺合される接続ねじの位置から外れる。このため外側極用分岐バー１２のねじ止め作業に支障を生じない。なお外側極用分岐バー１０は小型３極式ブレーカ６から最も遠い母線バー１（Ｔ）に仮想線１５の外側から接続されるので、中央極用分岐バー１１が邪魔になることもない。
【００２３】
このように本発明の分岐バーセットを用いれば、標準型のブレーカ３、４と、端子間距離がＰよりも小さい小型３極式ブレーカ６とを、標準型のブレーカの端子間距離に合せたピッチＰで接続孔が形成された３本の母線バー１に、外側極用分岐バー１０、１２と中央極用分岐バー１１を介して接続することができ、小型３極式ブレーカ６と標準型のブレーカ３、４とを同一の母線バー１に接続可能となる。また、小型３極式ブレーカ６の筐体の横幅を標準３極式ブレーカ４の横幅の２/３とすれば、互いに隣接して配置することが可能であり、搭載数を多くすることができる。なお、接続孔２は本実施形態のように、各極の母線バー１にピッチＰ間隔で一連に形成される必要はなく、いずれかの母線バー１にピッチＰ間隔で接続孔２が形成されている箇所があればよい。また上記の実施形態では、外側極用分岐バー１０の先端の母線接続部１３と中央極用分岐バー１１の母線接続部１７とを共通の第１の仮想線１５上に位置させたが、他方の外側極用分岐バー１２の先端の母線接続部１４と中央極用分岐バー１１の母線接続部１７とを共通の第１の仮想線１５上に位置させることも可能である。
【００２４】
以上に説明した第１の実施形態では、３本の母線バー１を三角形に配置した。しかし図７以下に示す第２の実施形態のように、３本の母線バー１を同一平面上に配置することもできる。この第２の実施形態においては、図７、図１１のように中央極用分岐バー１１の母線接続部１７を、外側極用分岐バー１２の母線接続部１４から母線バー１に対して垂直に延びる第２の仮想線１６上に位置する形状とした。外側極用分岐バー１０は、中央極用分岐バー１１の母線接続部１７上を通らないようにクランク状に形成されている。また、中央極用分岐バー１１の母線接続部１７は、外側極用分岐バー１０の母線接続部１３から母線バー１に対して垂直に延びる第１の仮想線１５上に位置する形状としてもよい。
【００２５】
図１０、図１２に示す第３の実施形態では、母線バー１の両側の小型３極式ブレーカ６を対向して配置し、双方を共通の外側極用分岐バー２２、２３と中央極用分岐バー２４によって母線バー１に接続している。外側極用分岐バー２２の母線接続部２５は、外側極用分岐バー２２の両端に形成された端子接続部２７間に形成されている。同様に中央極用分岐バー２４の母線接続部２６は、中央極用分岐バー２４の両端に形成された端子接続部２８間の略中央に形成されている。なお、外側極用分岐バー２３は外側極用分岐バー２２と同一形状で、外側極用分岐バー２２を１８０度反転させることで使用可能となるので、低コストで製作可能である。
【００２６】
以上に説明したように、本発明の分岐バーセットを用いれば、部品点数を増加させることなく、標準型のブレーカと、端子間距離がＰよりも小さい小型３極式ブレーカとを同一の母線バー１に接続することができる。
【符号の説明】
【００２７】
１  母線バー
２  接続孔
３  標準２極式ブレーカ
４  標準３極式ブレーカ
５  小型２極式ブレーカ
６  小型３極式ブレーカ
７  外側極
８  中央極
９  外側極
１０  外側極用分岐バー
１１  中央極用分岐バー
１２  外側極用分岐バー
１３  母線接続部
１４  母線接続部
１５  第１の仮想線
１６  第２の仮想線
１７  母線接続部
１９  端子接続部
２０  端子接続部
２１  端子接続部
２２  外側極用分岐バー
２３  外側極用分岐バー
２４  中央極用分岐バー
２５  母線接続部
２６  母線接続部
２７  端子接続部
２８  端子接続部
【図１】
0006474277.tif 000002
【図２】
0006474277.tif 000003
【図３】
0006474277.tif 000004
【図４】
0006474277.tif 000005
【図５】
0006474277.tif 000006
【図６】
0006474277.tif 000007
【図７】
0006474277.tif 000008
【図８】
0006474277.tif 000009
【図９】
0006474277.tif 000010
【図１０】
0006474277.tif 000011
【図１１】
0006474277.tif 000012
【図１２】
0006474277.tif 000013